(57)【要約】【課題】  ＬＥＤパネルや有機ＥＬパネル等の光源パネルを用いた均整度の高いシステム天井用照明装置を提供する。【解決手段】  システム天井用照明装置は天井照明システムに用いられる。天井照明システムは、略正方形の升目を形成するように格子状に配置された天井バー５０を備え、天井バー５０は、上部に天井バー頭部５２、下部に天井バー頭部５２より幅広い天井バー裾部５４、および天井バー頭部５２と天井バー裾部５４間を連結する天井バー首部５６を有する。システム天井用照明装置は、天井バー裾部５４に載せられ天井バー５０の升目を塞ぐ底面が略正方形の光源パネル、例えばＬＥＤパネル１０または有機ＥＬパネル２０を備える。【選択図】図３
2008282782.tif 000002
【特許請求の範囲】
【請求項１】
略正方形の升目を形成するように格子状に配置された天井バーを備え、前記天井バーが上部に天井バー頭部、下部に前記天井バー頭部より幅広い天井バー裾部、および前記天井バー頭部と前記天井バー裾部間を連結する天井バー首部を有する天井照明システムに用いられるシステム天井用照明装置であって、前記天井バー裾部に載せられ前記天井バーの升目を塞ぐ底面が略正方形の光源パネルを備えたことを特徴とするシステム天井用照明装置。
【請求項２】
前記光源パネルが、前記光源パネルの底面の一辺の寸法をＷ１、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３）の関係を満たすことを特徴とする請求項１記載のシステム天井用照明装置。
【請求項３】
前記光源パネルが、その外周にコの字形断面形状またはＬ字形断面形状の補強パネル枠を有することを特徴とする請求項１記載のシステム天井用照明装置。
【請求項４】
前記光源パネルが、前記光源パネルの底面の一辺の寸法をＷ１、前記底面における補強パネル枠の寸法をＷ３、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３＋Ｗ３）の関係を満たすことを特徴とする請求項３記載のシステム天井用照明装置。
【請求項５】
前記補強パネル枠が、その側面に取付バネを有することを特徴とする請求項３記載のシステム天井用照明装置。
【請求項６】
前記光源パネルが、前記光源パネルの底面の一辺の寸法をＷ１、前記底面における補強パネル枠の寸法をＷ３、対向する前記天井バー頭部間の寸法をＰ１、対向する前記天井バー裾部間の寸法をＰ２、前記天井バー裾部５４における前記天井バー首部５６の位置から前記天井バー裾部５４の端部までの寸法をＰ３、対向する前記天井バー首部間の寸法をＰ６、両側の前記取付バネの稜線部間の寸法をＳ１としたとき、Ｓ１＞Ｐ６＞Ｐ１＞Ｗ１＞（Ｐ２＋Ｐ３＋Ｗ３）の関係を満たすことを特徴とする請求項５記載のシステム天井用照明装置。
【請求項７】
前記光源パネルが、ＬＥＤパネルまたは有機ＥＬパネルであることを特徴とする請求項１〜６のいずれかに記載のシステム天井用照明装置。
【請求項８】
略正方形の複数の升目を形成するように格子状に配置された天井バーと、前記複数の升目の一部を塞ぐ天井ボードと、前記複数の升目の残部を塞ぐ底面が略正方形の光源パネルを備えたシステム天井用照明装置とを具備し、前記天井バーが上部に天井バー頭部、下部に前記天井バー頭部より幅広い天井バー裾部、および前記天井バー頭部と前記天井バー裾部間を連結する天井バー首部を有し、前記光源パネルが前記天井バー裾部に載せられることを特徴とする天井照明システム。
【請求項９】
前記光源パネルが、前記光源パネルの底面の一辺の寸法をＷ１、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３）の関係を満たすことを特徴とする請求項８記載の天井照明システム。
【請求項１０】
前記光源パネルが、ＬＥＤパネルまたは有機ＥＬパネルであることを特徴とする請求項８または９記載の天井照明システム。
【発明の詳細な説明】
【技術分野】
【０００１】
本発明は、システム天井工法で施工された天井に取り付けるシステム天井用照明装置に関するものである。
【背景技術】
【０００２】
従来、この種のシステム天井用照明装置はランプを用いて構成されている。図１１は、従来のシステム天井用照明装置の一例を示す断面図である。このシステム天井用照明装置は、格子状に配置された天井バー５０の升目を塞ぐように設けられるもので、図示のように、照明器具本体７０、支持金具７２、反射板７４、点灯装置７６および光源としての蛍光灯ランプ７８を主部品として構成される。照明器具本体７０等は、支持金具７２を介して天井バー５０に配置される。また、天井ボード６０が、システム天井用照明装置に隣接して同様に天井バー５０の升目を塞ぐように設けられる。
【発明の開示】
【発明が解決しようとする課題】
【０００３】
上記のように、従来のシステム天井用照明装置は、照明器具本体、支持金具、反射板等が必要であり部品点数が多く、また装置の厚みが大きく、重量が重いという問題があった。
本発明は、ＬＥＤパネルや有機ＥＬパネル等の光源パネルを用いた均整度の高いシステム天井用照明装置を提供することを目的とするものである。
【課題を解決するための手段】
【０００４】
上記目的は、略正方形の升目を形成するように格子状に配置された天井バーを備え、前記天井バーが上部に天井バー頭部、下部に前記天井バー頭部より幅広い天井バー裾部、および前記天井バー頭部と前記天井バー裾部間を連結する天井バー首部を有する天井照明システムに用いられるシステム天井用照明装置であって、前記天井バー裾部に載せられ前記天井バーの升目を塞ぐ底面が略正方形の光源パネルを備えたシステム天井用照明装置により達成される。ここで、前記光源パネルは、前記光源パネルの底面の一辺の寸法をＷ１、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３）の関係を満たすようにすることができる。
【０００５】
前記光源パネルは、その外周にコの字形断面形状またはＬ字形断面形状の補強パネル枠を有することができる。この場合、前記光源パネルは、前記光源パネルの底面の一辺の寸法をＷ１、前記底面における補強パネル枠の寸法をＷ３、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３＋Ｗ３）の関係を満たすようにすることができる。
【０００６】
前記補強パネル枠は、その側面に取付バネを有することができる。この場合、前記光源パネルは、前記光源パネルの底面の一辺の寸法をＷ１、前記底面における補強パネル枠の寸法をＷ３、対向する前記天井バー頭部間の寸法をＰ１、対向する前記天井バー裾部間の寸法をＰ２、前記天井バー裾部５４における前記天井バー首部５６の位置から前記天井バー裾部５４の端部までの寸法をＰ３、対向する前記天井バー首部間の寸法をＰ６、両側の前記取付バネの稜線部間の寸法をＳ１としたとき、Ｓ１＞Ｐ６＞Ｐ１＞Ｗ１＞（Ｐ２＋Ｐ３＋Ｗ３）の関係を満たすようにすることができる。
前記光源パネルは、ＬＥＤパネルまたは有機ＥＬパネルとすることができる。
【０００７】
また、本発明に係る天井照明システムは、略正方形の複数の升目を形成するように格子状に配置された天井バーと、前記複数の升目の一部を塞ぐ天井ボードと、前記複数の升目の残部を塞ぐ底面が略正方形の光源パネルを備えたシステム天井用照明装置とを具備し、前記天井バーが上部に天井バー頭部、下部に前記天井バー頭部より幅広い天井バー裾部、および前記天井バー頭部と前記天井バー裾部間を連結する天井バー首部を有し、前記光源パネルが前記天井バー裾部に載せられるものである。ここで、前記光源パネルは、前記光源パネルの底面の一辺の寸法をＷ１、対向する前記天井バー頭部間の寸法をＰ１、対向する前記天井バー裾部間の寸法をＰ２、前記天井バー裾部における前記天井バー首部の位置から前記天井バー裾部の端部までの寸法をＰ３としたとき、Ｐ１＞Ｗ１＞（Ｐ２＋Ｐ３）の関係を満たすようにすることができる。前記光源パネルは、ＬＥＤパネルまたは有機ＥＬパネルとすることができる。
【発明の効果】
【０００８】
本発明によれば、ＬＥＤパネルや有機ＥＬパネル等の光源パネルを用いた均整度の高いシステム天井用照明装置を提供可能とする。天井バー間の升目を塞ぐ天井ボードと光源パネルを同等な大きさとすることにより、天井ボードと光源パネルを相互に移設するだけの容易な作業で照明レイアウト変更を可能とする。また、従来技術にて必要としていた照明器具本体、支持金具、反射板等を排除すること可能であり部品点数を減すことができる。さらに、従来器具より装置の厚みを小さくすることが可能であり、天井バーと建造物の間の寸法に制約がある天井にも施工可能である。
【発明を実施するための最良の形態】
【０００９】
以下、本発明に係るシステム天井用照明装置の実施例を説明するが、その前にまず本発明に用いることができる光源パネルの例としてＬＥＤパネルおよび有機ＥＬパネルについて説明する。
【００１０】
図１は、本発明に用いることができるＬＥＤパネルの一例を示す図である。図示のように、ＬＥＤパネル１０は、複数のＬＥＤ発光素子１２を２次元状に配列して構成したものであり、底面が略正方形の平板型構造とされる。ＬＥＤパネル１０の各ＬＥＤ発光素子１２は、点灯装置１６に接続されている。点灯装置１６は、電源３０から電源線３２および電源スイッチ３４を介して給電される。ここで略正方形とは、数学的意味での正方形だけでなく実質的に正方形といえる形状を含むものとする。以下で用いる略正方形の用語も同様である。
【００１１】
図２は、本発明に用いることができる有機ＥＬパネルの一例を示す図である。図示のように、有機ＥＬパネル２０は、発光層２２を２つの電極２４間に挟んで構成したものであり、底面が略正方形の平板型構造とされる。有機ＥＬパネル２０の各電極２４は、点灯装置２６に接続されている。点灯装置２６は、電源３０から電源線３２および電源スイッチ３４を介して給電される。
以下、本発明に係るシステム天井用照明装置の実施例を説明する。
【００１２】
（実施例１）
図３は、本発明に係るシステム天井用照明装置の一実施例を示す斜視図である。図４は、図３の実施例の断面図である。図５は、図３の実施例の断面寸法図である。
天井照明システムは、例えばシステム天井工法で施工され、略正方形の複数の升目を形成するように格子状に配置された天井バー５０と、複数の升目の一部を塞ぐ天井ボード６０と、複数の升目の残部を塞ぐ底面が略正方形のＬＥＤパネル１０や有機ＥＬパネル２０等の光源パネルを備えたシステム天井用照明装置とを具備して構成される。天井バー５０は、各所に設けられた吊りボルト５８により建造物に吊り上げられ固設される。ＬＥＤパネル１０または有機ＥＬパネル２０には点灯装置１６または２６が接続され、点灯装置１６または２６は電源線３２を介して給電される。
【００１３】
天井バー５０は、上部に天井バー頭部５２、下部に天井バー裾部５４、および天井バー頭部５２と天井バー裾部５４間を連結する天井バー首部５６を有し、天井バー頭部５２より天井バー裾部５４のほうが幅広い上下反転の逆Ｔ字形のような断面形状を備え、天井バー裾部５４に光源であるＬＥＤパネル１０または有機ＥＬパネル２０が、天井ボード６０と同様にして配置される。すなわち、天井バー５０に天井バー間の升目を塞ぐ天井ボード６０とほぼ同等な大きさで略正方形に製作した光源であるＬＥＤパネル１０または有機ＥＬパネル２０を天井バー頭部５２より天井バー裾部５４方向へと落とし込み、ＬＥＤパネル１０または有機ＥＬパネル２０を天井バー裾部５４に載せ、面光源の照明装置として天井に施工する。このようにして光源パネルとしてのＬＥＤパネル１０または有機ＥＬパネル２０は天井バー裾部に載せられ、特別な固定部材を要することなく、光源パネルの自重で天井バー裾部５４に不動状態で配置される。
【００１４】
本実施例では、図５に示すように、ＬＥＤパネル１０または有機ＥＬパネル２０が、その底面の一辺の寸法をＷ１、対向する天井バー頭部５２間の寸法をＰ１、対向する天井バー裾部５４間の寸法をＰ２、天井バー裾部５４における天井バー首部５６の位置から天井バー裾部５４の端部までの寸法をＰ３としたとき、Ｐ１＞Ｗ１＞（Ｐ２＋Ｐ３）の関係を満たすように構成される。これにより、ＬＥＤパネル１０または有機ＥＬパネル２０が天井バー５０に容易に配置可能とされ、かつ天井バー裾部５４上を前後左右に移動しても天井バーから脱落することを防止することができる。また、ＬＥＤパネル１０または有機ＥＬパネル２０の底面の一辺の寸法Ｗ１と天井ボード６０の寸法Ｗ２はほぼ同等の大きさとする。
【００１５】
ＬＥＤパネル１０または有機ＥＬパネル２０は、その底面（発光面側）に、光を透過拡散し且つパネル１０または２０の撓みを防ぐための補強部材４０を備えることができる。補強部材４０は、例えばアクリル樹脂または強化ガラスなどの素材で構成され、ＬＥＤパネル１０または有機ＥＬパネル２０と同等な外形寸法で成形されたパネルとすることができる。補強部材４０は、ＬＥＤパネル１０または有機ＥＬパネル２０の一部となるよう密着構造とすることができる。
【００１６】
（実施例２）
図６は、本発明に係るシステム天井用照明装置の他の実施例を示す断面図である。図７は、図６の実施例の断面寸法図である。図８は、図６および図７のＡ部分拡大図である。
本実施例は、光源パネルとしてのＬＥＤパネル１０または有機ＥＬパネル２０が、その外周にコの字形断面形状またはＬ字形断面形状の補強パネル枠４２を有するものであり、それ以外の構成は前記実施例１と同様である。補強パネル枠４２は、光源パネルの撓みを防ぐことを主目的とする。
【００１７】
本実施例では、図８に示すように、ＬＥＤパネル１０または有機ＥＬパネル２０が、その底面の一辺の寸法（補強パネル枠４２を含む）をＷ１、その底面における補強パネル枠４２の寸法をＷ３、対向する天井バー頭部５２間の寸法をＰ１、対向する天井バー裾部５４間の寸法をＰ２、天井バー裾部５４における天井バー首部５６の位置から天井バー裾部５４の端部までの寸法をＰ３としたとき、Ｐ１＞Ｗ１＞（Ｐ２＋Ｐ３＋Ｗ３）の関係を満たすように構成される。
【００１８】
これにより、ＬＥＤパネル１０または有機ＥＬパネル２０が天井バー５０に容易に配置可能とされ、かつ天井バー裾部５４上を前後左右に移動しても天井バーから脱落することを防止することができるとともに、光源パネルが片側の天井バーに片偏りした場合においても補強パネル枠４２が天井施工状態では下面より天井を見上げても見えることはなく、図１１に示す従来技術において光源である蛍光ランプ７８の直接光があたらない反射板７４の非受光部分８０に相当する部分を排除でき意匠的向上を図ることができる。また、ＬＥＤパネル１０または有機ＥＬパネル２０の底面の一辺の寸法Ｗ１と天井ボード６０の寸法Ｗ２はほぼ同等の大きさとする。
【００１９】
（実施例３）
図９は、本発明に係るシステム天井用照明装置の他の実施例を示す断面図である。図１０は、図９の実施例の断面寸法図である。
本実施例は、光源パネルとしてのＬＥＤパネル１０または有機ＥＬパネル２０が、その外周に設けられたコの字形断面形状またはＬ字形断面形状の補強パネル枠４２の側面に取付バネ４６を有するものであり、それ以外の構成は前記実施例２と同様である。取付バネ４６は、図１０に示すように、Ｂ方向およびＣ方向へ撓む板状のバネ鋼材にて製作することができる。取付バネ４６は、コの字形断面形状またはＬ字形断面形状でＬＥＤパネル１０または有機ＥＬパネル２０の外周を覆った向かい合う一対の補強パネル枠４２の側面に数箇所固定する。
【００２０】
取付バネ４６は図示のように稜線部４８を有し、ＬＥＤパネル１０または有機ＥＬパネル２０の取付状態においては取付バネ稜線部４８が補強パネル枠４２側面において平行で向かい合う天井バー首部５６に均等な圧力にて圧接する。これにより、ＬＥＤパネル１０または有機ＥＬパネル２０は天井バー５０に対し前後あるいは左右均等な配置となり、天井バー片側への片偏りを防ぐことができる。取付バネ４６は本実施例では、く字型であるが、これに限定されない。
【００２１】
ＬＥＤパネル１０または有機ＥＬパネル２０の取付作業は、天井バー頭部５２の方向より天井バー裾部５４方向へとＬＥＤパネル１０または有機ＥＬパネル２０を落とし込むことにより行う。落とし込み動作時には取付バネ稜線部４８が天井バー頭部５２に干渉するが取付バネ稜線部４８が図１０のＢ方向へと撓み天井バー頭部５２の通過を可能とする。また施工後のＬＥＤパネル１０または有機ＥＬパネル２０を天井バー５０上部方向に持ち上げても、取付バネ稜線部４８が天井バー頭部５２部に干渉し容易な乗り越えを防ぎ天井バー頭部５２からのＬＥＤパネル１０または有機ＥＬパネル２０の取り外し防止を図る。
【００２２】
本実施例では、図１０に示すように、ＬＥＤパネル１０または有機ＥＬパネル２０が、その底面の一辺の寸法（補強パネル枠４２を含む）をＷ１、その底面における補強パネル枠４２の寸法をＷ３、対向する天井バー頭部５２間の寸法をＰ１、対向する天井バー裾部５４間の寸法をＰ２、天井バー裾部５４における天井バー首部５６の位置から天井バー裾部５４の端部までの寸法をＰ３、対向する天井バー首部５６間の寸法をＰ６、両側の取付バネ稜線部４８間の寸法をＳ１としたとき、Ｓ１＞Ｐ６＞Ｐ１＞Ｗ１＞（Ｐ２＋Ｐ３＋Ｗ３）の関係を満たすように構成される。
【００２３】
これにより、ＬＥＤパネル１０または有機ＥＬパネル２０が天井バー５０に容易に配置可能とされ、かつ天井バー裾部５４上を前後左右に移動しても天井バーから脱落することを防止することができるとともに、光源パネルが片側の天井バーに片偏りした場合においても補強パネル枠４２が天井施工状態では下面より天井を見上げても見えることはなく、図１１に示す従来技術において光源である蛍光ランプ７８の直接光があたらない反射板７４の非受光部分８０に相当する部分を排除でき意匠的向上を図ることができ、さらにＬＥＤパネル１０または有機ＥＬパネル２０の天井バー片側への片偏りを防ぐことができる。また、ＬＥＤパネル１０または有機ＥＬパネル２０の底面の一辺の寸法Ｗ１と天井ボード６０の寸法Ｗ２はほぼ同等の大きさとする。
【図面の簡単な説明】
【００２４】
【図１】本発明に用いることができるＬＥＤパネルの一例を示す図である。
【図２】本発明に用いることができる有機ＥＬパネルの一例を示す図である。
【図３】本発明に係るシステム天井用照明装置の一実施例を示す斜視図である。
【図４】図３の実施例の断面図である。
【図５】図３の実施例の断面寸法図である。
【図６】本発明に係るシステム天井用照明装置の他の実施例を示す断面図である。
【図７】図６の実施例の断面寸法図である。
【図８】図６および図７のＡ部分拡大図である。
【図９】本発明に係るシステム天井用照明装置の他の実施例を示す断面図である。
【図１０】図９の実施例の断面寸法図である。
【図１１】従来のシステム天井用照明装置の一例を示す断面図である。
【符号の説明】
【００２５】
１０…ＬＥＤパネル
１２…ＬＥＤ発光素子
１６…ＬＥＤ素子の発光を制御する点灯装置
２０…有機ＥＬパネル
２２…発光層
２４…電極
２６…有機ＥＬの発光を制御する点灯装置
３０…電源
３２…電源線
３４…電源スイッチ
４０…補強部材
４２…補強パネル枠
４６…取付バネ
４８…取付バネの稜線部
５０…天井バー
５２…天井バー頭部
５４…天井バー裾部
５６…天井バー首部
５８…吊りボルト
６０…天井ボード
７０…照明器具本体
７２…支持金具
７４…反射板
７６…点灯装置
７８…蛍光ランプ
８０…反射板の非受光部分
【図１】
2008282782.tif 000003
【図２】
2008282782.tif 000004
【図３】
2008282782.tif 000005
【図４】
2008282782.tif 000006
【図５】
2008282782.tif 000007
【図６】
2008282782.tif 000008
【図７】
2008282782.tif 000009
【図８】
2008282782.tif 000010
【図９】
2008282782.tif 000011
【図１０】
2008282782.tif 000012
【図１１】
2008282782.tif 000013